(57)【要約】      （修正有）【課題】天井パネルと壁パネルの連結構造の強度を向上させる。【解決手段】ユニットバスルームにおける天井パネル１と壁パネル２の連結構造であって、前記天井パネル１は、前記壁パネル２の裏面側に垂下して樹脂材料で一体形成された第一の垂下部３と、前記壁パネル２の表面側に垂下して樹脂材料で一体形成された第二の垂下部４と、を備えており、前記壁パネル２は前記第一の垂下部３と前記第二の垂下部４の間に差し込まれる天井パネル１と壁パネル２の連結構造。【選択図】図１
2009243235.tif 000002
【特許請求の範囲】
【請求項１】
ユニットバスルームにおける天井パネルと壁パネルの連結構造であって、
前記天井パネルは、
前記壁パネルの裏面側に垂下して樹脂材料で一体形成された第一の垂下部と、
前記壁パネルの表面側に垂下して樹脂材料で一体形成された第二の垂下部と、
を備えており、
前記壁パネルは前記第一の垂下部と前記第二の垂下部の間に差し込まれる
ことを特徴とする天井パネルと壁パネルの連結構造。
【請求項２】
前記第二の垂下部と前記壁パネルとをユニットバスルーム内側から直接固定するためのネジ部材が取り付けられる
ことを特徴とする請求項１に記載の天井パネルと壁パネルの連結構造。
【請求項３】
前記第一の垂下部および前記第二の垂下部は前記天井パネルの少なくとも一辺に形成される
ことを特徴とする請求項１または２に記載の天井パネルと壁パネルの連結構造。
【発明の詳細な説明】
【技術分野】
【０００１】
本発明の態様は、一般に、ユニットバスルームにおける天井パネルと壁パネルの連結構造に関する。
【背景技術】
【０００２】
従来、ユニットバスルームにおける天井パネルと壁パネルの表面は、一般的に化粧鋼板等の硬質な部材により成形されており、それらの連結には別途連結部材が必要であった。しかしながら、天井パネルと壁パネルとを連結するために別体の連結部材が用いられており、天井パネルと壁パネルの連結構造の強度が不十分であった。（例えば、特許文献１、特許文献２）
【特許文献１】特開２００５−３０７６１９
【特許文献２】特開２００４−２２５３５２
【発明の開示】
【発明が解決しようとする課題】
【０００３】
本発明の態様は、上記課題を解決するためになされたもので、その目的とするところは、樹脂材料で形成される天井パネルの第二の垂下部をネジ部材で直接固定することにより、天井パネルと壁パネルの連結構造の強度を向上させることを目的とする。
【課題を解決するための手段】
【０００４】
上記の目的を達成するために、本発明の一実施形態においては、ユニットバスルームにおける天井パネルと壁パネルの連結構造であって、前記天井パネルは、前記壁パネルの裏面側に垂下して樹脂材料で一体形成された第一の垂下部と、前記壁パネルの表面側に垂下して樹脂材料で一体形成された第二の垂下部と、を備えており、前記壁パネルは前記第一の垂下部と前記第二の垂下部の間に差し込まれることを特徴とする。
【発明の効果】
【０００５】
本発明の態様によれば、樹脂材料で形成される天井パネルの第二の垂下部をネジ部材で直接固定することにより、天井パネルと壁パネルの連結構造の強度を向上させることができる。
【発明を実施するための最良の形態】
【０００６】
本発明を実施するための最良の形態を説明するのに先立って、本発明の作用効果について説明する。
【０００７】
本発明の一実施形態においては、ユニットバスルームにおける天井パネルと壁パネルの連結構造であって、前記天井パネルは、前記壁パネルの裏面側に垂下して樹脂材料で一体形成された第一の垂下部と、前記壁パネルの表面側に垂下して樹脂材料で一体形成された第二の垂下部と、を備えており、前記壁パネルは前記第一の垂下部と前記第二の垂下部の間に差し込まれることを特徴とする。
【０００８】
この好ましい態様によれば、樹脂材料で形成される天井パネルの第二の垂下部を、壁パネルに直接ネジ部材で固定することができる。この連結構造では、従来の別途連結部材を用いた連結構造とは異なり、連結部材自体の強度や、連結部材と天井パネルの連結強度、連結部材と壁パネルの連結強度に依存しない。そのため、天井パネルと壁パネルの連結構造の強度を向上させることができる。
【０００９】
以下、本発明の一実施形態を図面に基づき説明する。
図１は天井パネルと壁パネルの連結構造の概略を模式的に示す断面図であり、図２は天井パネルの斜視図である。
【００１０】
図１に示すように、本実施形態の天井パネルと壁パネルの連結構造は、天井パネル１と複数の壁パネル２とそれらを固定するネジ材７で構成される。天井パネル１はＨＩＰＳ等の樹脂材料で形成され、壁パネル２は、化粧鋼板等の表面材５と、プラスターボード、石綿、グラスウール等の芯材６で形成される。表面材５には様々な色や柄が付けられ、ユニットバスルームの意匠性を向上させると共に、端部を折り曲げ、加工することで、床パンや天井パネル、壁パネル同士の連結を可能にしている。また壁パネル２自体の強度を向上させる役割も果たしている。そして芯材６は強度部材であると共に断熱性を有し、ユニットバスルーム内の温度が、外気温の影響を受けにくくしている。これらの表面材５と芯材６は、表面材５の両側縁部を除いて、接着剤等により貼着され一体化される。この構成により、壁パネル２自体の厚さは略１０ｍｍ程度に抑えられ、また重量も軽く、製造時や輸送時、組立時の作業性を向上させている。そして、安価に製造することができる。また壁パネルのユニットバスルーム外側に裏面材として鋼板等が貼着された、より強度を向上させた壁パネルを用いることもできる。
【００１１】
天井パネル１は、その外周四辺に第一の垂下部３と第二の垂下部４を有している。第一の垂下部３は、天井パネル１の側面に沿って、下方向に鉛直に延びる。その高さは略１５ｍｍで、幅は略４ｍｍである。また第二の垂下部４は、第一の垂下部３よりユニットバスルーム内側に設けられ、天面から下方向に鉛直に延びる。その高さは略１５ｍｍで、幅は略４ｍｍであり、第一の垂下部３と第二の垂下部４は同程度の大きさである。この第一の垂下部３と第二の垂下部４の間隔は、略１０．５ｍｍで、壁パネル２の厚みと同等か、それより略０．５ｍｍ大きい程度である。そのため、この第一の垂下部３と第二の垂下部４で、壁パネル２の上端部を挟み込むことができる。天井パネル１を取付ける際は、第一の垂下部３が壁パネル２の裏面側に、第二の垂下部４が壁パネル２の表面側になるように、壁パネル２の上端部に落し入れる。このようにすれば、天井パネルと壁パネルを連結するために別体の連結部材を用いていた従来品と比べ、別体の連結部材が必要なくなるので、部材数を減らすことができ、作業効率が向上し、またコストダウンにもなる。
【００１２】
次に、本発明の取付方法について説明する。まず壁パネル２を床パン上に矩形枠状に組立て、壁パネル２に天井パネル１を戴置する。具体的には、前述したように、第一の垂下部３が壁パネル２の裏面側に、第二の垂下部４が壁パネル２の表面側になるように、天井パネル１を壁パネル２の上端部に落とし入れる。そしてユニットバスルーム内側から、第二の垂下部４と壁パネル２をネジ材７で固定する。ネジ材７は、例えば十字穴付きバインドネジである。ネジ材７で天井パネル１と壁パネル２を固定した際に、壁パネル裏面からネジ材７の先端が飛び出さないことが望ましい。さらに天井パネル１と壁パネル２の連結強度を考えると、ネジ材７の長さは、略１０ｍｍである。ネジ材７で天井パネル１と壁パネル２を固定する位置は、各壁パネルの両端から、略１００ｍｍの位置である。このように、天井パネル１と壁パネル２を直接ネジ部材で固定することができるため、従来の別途連結部材を用いた連結構造とは異なり、連結部材自体の強度や、連結部材と天井パネルの連結強度、連結部材と壁パネルの連結強度に依存しない。そのため、天井パネル１と壁パネル２の連結構造の強度を向上させることができる。
【００１３】
図２に示すように、第一の垂下部３と第二の垂下部４は、天井パネル１の外周四辺に形成される。しかしユニットバスルームのサイズ、例えば一坪サイズやそれ以上のサイズでは、天井パネルが二分割されることもある。この場合は、二分割した各天井パネルそれぞれの分割面以外の外周三辺に、第一の垂下部３と第二の垂下部４を形成する。そして矩形枠状に組まれた壁パネル２の上端部に、まず二分割した一方の天井パネルを落とし入れ、続いてもう一方の天井パネルを落とし入れる。この際、隙間や段差ができないように分割面を重ね合わせる必要があるため、例えば蝶ボルトとナットを用いて、段差を調整しながら、天井パネル同士を連結する。具体的には、各天井パネルの分割面をＬ型に立ち上げ、その立ち上がった面に六ヶ所程度の穴を空け、その穴に蝶ボルトを通し連結する。蝶ボルトの径は、例えば６ｍｍである。このように天井パネルを二分割すれば、一枚の天井パネルのサイズを小さくすることができるため、製造時や輸送時、組立時の作業性を向上させることができる。製造時や輸送時、組立時の作業性を考えると、一枚の天井パネルは、最大で略１２００×１６００程度が望ましい。
【図面の簡単な説明】
【００１４】
【図１】天井パネルと壁パネルの連結構造の概略を模式的に示す断面図である。
【図２】天井パネルの斜視図である。
【符号の説明】
【００１５】
１…天井パネル
２…壁パネル  
３…第一の垂下部  
４…第二の垂下部
５…表面材
６…芯材
７…ネジ部材
【図１】
2009243235.tif 000003
【図２】
2009243235.tif 000004